(57)【要約】【課題】セキュリティ技術によって正当な権限を保持するユーザのみ追加印刷を実施可能なハイブリッド印刷装置及びハイブリッド印刷方法を提供する。【解決手段】印刷原稿に表示された画像を電子化した原稿画像データを分割し、分割した原稿画像データをそれぞれ複数の印刷方式で同一の印刷用紙に合成出力するハイブリッド印刷装置１００であり、追加印刷に関する情報を有する追加印刷許可情報の入力をユーザに促すパネル入力部２０２と、追加印刷許可情報が追加印刷を許可する情報を含む場合のみ、無版印刷部が印刷を実施するために割り当てられた分割された原稿画像データ及び追加印刷許可情報を記憶する記憶部２０９と、追加印刷の実施に係る権限の有無に関してユーザを認証し、認証が成功した場合、追加印刷を許可して記憶部に記憶された原稿画像データを無版印刷部に転送し、認証が失敗した場合、追加印刷を許可しない追加印刷制御部２０８とを備える。【選択図】図１
2010110956.tif 000002
【特許請求の範囲】
【請求項１】
製版された孔版原紙を外周面に着版した孔版印刷用ドラムに印刷用紙を押圧し、前記孔版原紙の穿孔から孔版印刷用インクを転写して孔版印刷を行う孔版印刷部と、版を用いない無版印刷を行う無版印刷部とを有し、
印刷原稿に表示された画像を電子化した原稿画像データを分割し、前記分割した原稿画像データをそれぞれ複数の印刷方式で同一の印刷用紙に合成出力するハイブリッド印刷装置であって、
追加印刷に関する情報を有する追加印刷許可情報の入力をユーザに促すパネル入力部と、
前記追加印刷許可情報が前記追加印刷を許可する情報を含む場合のみ、前記無版印刷部が印刷を実施するために割り当てられた前記分割された原稿画像データ及び前記追加印刷許可情報を記憶する記憶部と、
前記追加印刷の実施に係る権限の有無に関して前記ユーザを認証し、前記認証が成功した場合、前記追加印刷を許可して前記記憶部に記憶された前記原稿画像データを前記無版印刷部に転送し、認証が失敗した場合、前記追加印刷を許可しない追加印刷制御部
とを備えることを特徴とするハイブリッド印刷装置。
【請求項２】
前記追加印刷制御部が、前記記憶部に記憶された前記原稿画像データを、前記追加印刷終了後に消去することを特徴とする請求項１に記載のハイブリッド印刷装置。
【請求項３】
製版された孔版原紙を外周面に着版した孔版印刷用ドラムに印刷用紙を押圧し、前記孔版原紙の穿孔から孔版印刷用インクを転写して孔版印刷を行う孔版印刷部と、版を用いない無版印刷を行う無版印刷部とを有し、
印刷原稿に表示された画像を電子化した原稿画像データを分割し、前記分割した原稿画像データをそれぞれ複数の印刷方式で同一の印刷用紙に合成出力するハイブリッド印刷装置の制御方法であって、
パネル入力部が、追加印刷に関する情報を有する追加印刷許可情報の入力をユーザに促すステップと、
記憶部が、前記追加印刷許可情報が前記追加印刷を許可する情報を含む場合のみ、前記無版印刷部が印刷を実施するために割り当てられた前記分割された原稿画像データ及び前記追加印刷許可情報を記憶するステップと、
追加印刷制御部が、前記追加印刷の実施に係る権限の有無に関して前記ユーザを認証し、前記認証が成功した場合、前記追加印刷を許可して前記記憶部に記憶された前記原稿画像データを前記無版印刷部に転送し、認証が失敗した場合、前記追加印刷を許可しないステップ
とを含むことを特徴とするハイブリッド印刷方法。
【発明の詳細な説明】
【技術分野】
【０００１】
本発明はハイブリッド印刷装置及びハイブリッド印刷方法に関し、特に追加印刷の実施において、不正印刷による機密情報の漏洩を防止するセキュリティ技術に関する。
【背景技術】
【０００２】
孔版印刷方式では、印刷データに応じて製版された孔版原紙を孔版印刷用ドラムに巻きつけ、この孔版印刷用ドラムを回転させながら孔版印刷用ドラム内部から供給されるインクを孔版原紙の穿孔を介して印刷媒体に転写させることで印刷を行う。また、孔版印刷装置は、孔版印刷用ドラムが１回転する毎に印刷媒体１枚の印刷が終了するので、特に多数部の印刷を行う場合に極めて安価に短時間で印刷を行える。よって、同一印刷内容で単一色の印刷を高速で行う高速印刷性能には優れているが、印刷内容の可変対応性能には劣る。また、孔版印刷は、インクのコストが低く、高速で印刷できるため（１２０枚／分）、新聞の折込広告等、速報性を有する一過性の印刷物を多数枚印刷するために広く利用される。一方、無版印刷方式の一つであるインクジェット印刷方式では、印刷データに応じた文字や画像等を印刷媒体に印刷する。インクジェット印刷では、印刷媒体に対してインクジェットヘッドを走査させながら、この印字ヘッドのノズルから吐出されたインクを印刷媒体に付着させることで印刷を行う。よって、高精細のフルカラー画像を得られる反面、印刷媒体１枚の印刷に比較的長時間を要し、インクのコストも孔版印刷と比較して高い。
【０００３】
そこで近年では、印刷方式が異なる複数の印刷装置を組み合わせ、それぞれの方式の長所を活かすことで、様々な用途に対応して効率のよい印刷を行えるようにした印刷装置として、いわゆるハイブリッド型の印刷装置が検討されている。例えば、高速印刷性能に優れている孔版印刷と印刷内容の可変対応性に優れているインクジェット印刷とのそれぞれの利点を活かし、より高度な印刷要求に対応するためのハイブリッド印刷装置が提案されている（例えば、特許文献１〜４参照。）。
【０００４】
ここで、孔版印刷方式では、孔版印刷機に装着された孔版印刷用ドラムは、一般的に孔版印刷機本体から着脱可能な構造となっている。これは、例えば印刷色の変更を行う際、既に異なる色のインクが充填された別の孔版印刷用ドラムと交換することで、印刷色変更時間の短縮を図る目的である。また、同様の孔版原紙を利用して繰り返し印刷を行う際、印刷実施の期間が開くことにより発生する孔版原紙表面のインクの乾燥を防止するため、孔版印刷用ドラムを密閉ケースに保管する目的もある。そのため、孔版印刷用ドラムを孔版印刷機本体から引き出すことで、容易に孔版原紙を取得することが可能である。
【０００５】
さらに、孔版印刷では、新たな原稿画像を印刷する場合、以前の印刷に使用した孔版原紙を孔版印刷用ドラムから引き剥がし、排版ボックスに収納廃棄するため、排版ボックスより使用済みの孔版原紙を容易に入手することも可能である。
【０００６】
すなわち、孔版印刷機は孔版原紙の版型を製作することで、ランニングコストを低く、高速な印刷を可能にしている反面、印刷終了後も孔版印刷用ドラムや排版ボックスに孔版原紙が残っているケースが多いため、第三者による再印刷や孔版原紙の取得及び持ち出しが可能となる。孔版原紙に製版されている内容が機密文書である場合、第三者に許容する安易に再印刷可能な環境あるいは孔版原紙取得可能な環境が、機密情報の漏洩につながる。
【０００７】
一方、インクジェット印刷方式では、印刷終了後に宛名や通し番号などのバリアブル情報を変更した上で、同じ原稿画像を追加印刷する要求に備えて、編集を施した原稿画像の出力データをインクジェット印刷機内のメモリに保存しておくことが好ましい。そのため、第三者は悪意を持ってメモリから編集を施された原稿画像のデータを読み出し、印刷を実行したり、読み出した原稿画像のデータを別のメモリに保存して持ち出すことも可能となる。メモリに蓄積された原稿画像のデータの内容が機密文書である場合、機密情報の漏洩につながる。
【０００８】
しかし、機密情報の漏洩の防止の目的でインクジェット印刷機内のメモリから、原稿画像データを消去すると、その後、印刷の権限を正規に有するユーザが追加で印刷が行う際、再度原稿画像を読み取り、原稿画像データを生成しなければならず、時間及び労力を要し、ユーザにとって利便性を著しく欠くことになる。その結果、ユーザへの利便性を優先的に考慮し、原稿画像データを印刷装置が保持すると上述したように、再印刷及びデータの持ち出し等によって機密情報の漏洩の危険性が高まるという問題がある。
【特許文献１】特開２００２−１３７５１５号公報
【特許文献２】特開２００２−２２５４１０号公報
【特許文献３】特開２００３−３３４９９３号公報
【特許文献４】特開２００５−２３１１４３号公報
【発明の開示】
【発明が解決しようとする課題】
【０００９】
上記問題点を鑑み、本発明は、セキュリティ技術によって正当な権限を保持するユーザのみ追加印刷を実施可能なハイブリッド印刷装置及びハイブリッド印刷方法を提供することを目的とする。
【課題を解決するための手段】
【００１０】
上記目的を達成するために、本発明の一様態は、製版された孔版原紙を外周面に着版した孔版印刷用ドラムに印刷用紙を押圧し、孔版原紙の穿孔から孔版印刷用インクを転写して孔版印刷を行う孔版印刷部と、版を用いない無版印刷を行う無版印刷部とを有し、印刷原稿に表示された画像を電子化した原稿画像データを分割し、分割した原稿画像データをそれぞれ複数の印刷方式で同一の印刷用紙に合成出力するハイブリッド印刷装置に関する。すなわち、本発明の様態に係るハイブリッド印刷装置は、（イ）追加印刷に関する情報を有する追加印刷許可情報の入力をユーザに促すパネル入力部と（ロ）、追加印刷許可情報が追加印刷を許可する情報を含む場合のみ、無版印刷部が印刷を実施するために割り当てられた分割された原稿画像データ及び追加印刷許可情報を記憶する記憶部と、（ハ）追加印刷の実施に係る権限の有無に関してユーザを認証し、認証が成功した場合、追加印刷を許可して記憶部に記憶された原稿画像データを無版印刷部に転送し、認証が失敗した場合、追加印刷を許可しない追加印刷制御部とを備えることを特徴とする。
【００１１】
本発明の別の様態は、製版された孔版原紙を外周面に着版した孔版印刷用ドラムに印刷用紙を押圧し、孔版原紙の穿孔から孔版印刷用インクを転写して孔版印刷を行う孔版印刷部と、版を用いない無版印刷を行う無版印刷部とを有し、印刷原稿に表示された画像を電子化した原稿画像データを分割し、分割した原稿画像データをそれぞれ複数の印刷方式で同一の印刷用紙に合成出力するハイブリッド印刷装置の制御方法に関する。すなわち、本発明の様態に係るハイブリッド印刷方法は、（イ）パネル入力部が、追加印刷に関する情報を有する追加印刷許可情報の入力をユーザに促すステップと、（ロ）記憶部が、追加印刷許可情報が追加印刷を許可する情報を含む場合のみ、無版印刷部が印刷を実施するために割り当てられた分割された原稿画像データ及び追加印刷許可情報を記憶するステップと、（ハ）追加印刷制御部が、追加印刷の実施に係る権限の有無に関してユーザを認証し、認証が成功した場合、追加印刷を許可して記憶部に記憶された原稿画像データを無版印刷部に転送し、認証が失敗した場合、追加印刷を許可しないステップとを含むことを特徴とする。
【発明の効果】
【００１２】
本発明によれば、セキュリティ技術によって正当な権限を保持するユーザのみ追加印刷を実施可能なハイブリッド印刷装置及びハイブリッド印刷方法を提供することができる。
【００１３】
そのため、秘匿性及び機密性の高い原稿画像データの追加印刷処理において、印刷処理の迅速性等の利便性を維持しつつ、不正に機密情報を得ようとする第三者に対して原稿画像の情報漏洩の防止に関わるセキュリティを高める効果を奏する。
【発明を実施するための最良の形態】
【００１４】
次に、図面を参照して、本発明の実施の形態を説明する。以下の図面の記載において、同一または類似の部分には同一または類似の符号を付している。但し、図面は模式的なものであり、装置やシステムの構成等は現実のものとは異なることに留意すべきである。したがって、具体的な構成は以下の説明を参酌して判断すべきものである。また、図面相互間においても互いの構成の異なる部分が含まれていることは勿論である。
【００１５】
また、以下に示す本発明の実施の形態は、本発明の技術的思想を具体化するための装置や方法を例示するものであって、本発明の技術的思想は、構成部品の材質、形状、構造、配置等を下記のものに特定するものではない。本発明の技術的思想は、特許請求の範囲に記載された技術的範囲内において、種々の変更を加えることができる。
【００１６】
（第１の実施の形態）
＜ハイブリッド印刷装置の構成＞
本発明の第１の実施の形態に係るハイブリッド印刷装置は、図１に示すように、追加印刷に関する情報を有する追加印刷許可情報の入力をユーザに促すパネル入力部２０２と、追加印刷許可情報が追加印刷を許可する情報を含む場合のみ、無版印刷部が印刷を実施するために割り当てられた分割された原稿画像データ及び追加印刷許可情報を記憶する記憶部２０９と、追加印刷の実施に係る権限の有無に関してユーザを認証し、認証が成功した場合、追加印刷を許可して記憶部に記憶された原稿画像データを無版印刷部に転送し、認証が失敗した場合、追加印刷を許可しない追加印刷制御部２０８とを備える。
【００１７】
なお、ハイブリッド印刷装置は、上述のように、異なる複数の印刷方式を利用して印刷を実行できるが、本発明の実施の形態に係るハイブリッド印刷装置は、孔版原紙を用いて印刷を行う孔版印刷方式の印刷を実現する孔版印刷部、版を用いずに印刷を行う無版方式の印刷を実現する無版印刷部によって構成される。また、無版印刷方式には、例えば、インクジェット印刷方式電子写真印刷方式等を採用可能である。本発明の実施の形態に係る無版印刷方式は、印刷ヘッドが微滴化したインクジェット用インクを印刷用紙に噴出させ、付着させることで印刷を行うインクジェット方式として説明する。よって、本発明の実施の形態に係る無版印刷部はインクジェット印刷部として説明する。
【００１８】
またここで、「追加印刷許可情報」とは、ハイブリッド印刷装置１００のユーザが、印刷を実施する際に設定する「追加印刷」に関する情報であり、図３に示す追加印刷を許可するか否かのフラグ、図１７（ｃ）に示す追加印刷を実施するに当たって許可するユーザのＩＤ（以下において、「ユーザＩＤ」という。）及び図１７（ｄ）に示すパスワード、図１７（ｂ）に示す追加印刷を実施するに当たって許可する部数、図１７（ｅ）に示す追加印刷の実施を許可する有効期限等を含む。なお、図１７（ａ）に示すように、「追加印刷を禁止する」を選択した場合、原稿読取部２０１が読み取った原稿画像データの追加印刷は実行不可能である。また、「追加印刷を許可する」を選択した場合、この原稿画像データに対する追加印刷は許可される。ユーザＩＤ及びパスワードは、追加印刷を実行する際に入力必須の情報で、これらにより、正当な権限のない第三者からの不当な印刷を防止することが可能になる。また、追加印刷の部数を制限するのは、追加印刷によって生成した余分な印刷物が、印刷物を必要としない第三者に渡る危険性を抑制するためである。
【００１９】
さらに、「追加印刷」とは、通常の印刷の実行後、同様の原稿画像を継続して印刷する処理である。追加印刷許可情報は、図１０（ａ）に示すパネル入力部２０２の追加印刷設定キー１００４を押下することで、確認及び変更することが可能となる。この際、図１７（ｃ）及び（ｄ）に示すように、ユーザＩＤ及びパスワードの入力が必要になる。
【００２０】
追加印刷制御部２０８は、後述する記憶部２０９に記憶した追加印刷許可情報に基づいて、追加印刷の制御を行う。すなわち、追加印刷を実施するため図１０（ａ）に示す追加印刷実行キー１００５を押下したユーザに対して、図１７（ｃ）及び（ｄ）に示すようにユーザＩＤ及びパスワードの入力を促す。認証に成功したユーザは、続いて図１７（ｂ）に示す追加印刷の許可部数内で図１７（ｆ）に示すように印刷部数を入力することで、追加印刷を実施することができる。追加印刷の実行時に入力するユーザＩＤ及びパスワードが追加印刷許可情報のものと相違した場合は、追加印刷の処理は追加印刷を実行せずに終了する。また、追加印刷の部数が、追加印刷許可情報が含む許可部数以上である場合は、正当な数値が入力されるまで追加印刷は許可されない。
【００２１】
記憶部２０９は、半導体記憶装置や磁気ディスク装置等であって、追加印刷制御部２０８等で実行されるプログラム、追加印刷許可情報及び原稿画像データ等を記憶する。追加印刷許可情報に追加印刷を許可する情報が入力されたとき、後述する画像分割部２０３が原稿画像データを分割すると同時に送信するインクジェット印刷方式用の原稿画像データを記憶部２０９は記憶し、追加印刷が実行されると、追加印刷制御部２０８の指示により、インクジェット印刷方式用の原稿画像データを後述するインクジェットヘッド画像処理部２０６へ送信する。
【００２２】
さらに、原稿読取部２０１は、ハイブリッド印刷装置が印刷を行う印刷原稿を走査し、ドット単位で読み取る。読み取った画像データを撮像素子でデータ化して原稿画像データとしてハイブリッド印刷装置１００及びコンピュータ等の情報処理装置に送信する。
【００２３】
パネル入力部２０２は、図１０（ａ）に示されるように、タッチパネル機能を有する表示部１００１と、印刷部数等を入力するテンキー１００２と、分割モードを入力する分割モードキー１００３、追加印刷設定キー及び追加印刷実行キーとを備え、ユーザに「分割モード」、「印刷情報」、追加印刷の設定及び実行等の入力を促す。入力された分割モードは、分割モード切り替え信号として出力される。ここで、「分割モード」とは、画像分割部２０３が原稿画像データを一定の規則に従って複数に分割する動作モード（方法）を指す。ユーザは複数の分割モードの中から、目的に応じて任意の分割モードを選択する。ここで、目的とは、複数の印刷原稿それぞれに対して設定するセキュリティポリシーに依存する。セキュリティポリシーは、セキュリティレベルやセキュリティエリアによって構成される。
【００２４】
セキュリティレベルとは、印刷原稿の重要度及び機密度に応じて変化する、不正アクセスに対する防衛対策のレベルである。セキュリティレベル、すなわち重要度及び機密度が高くなれば、後述する画像分割部２０３が分割した原稿画像データの復元及び解析の困難性を高くする必要があるため、それに応じて分割数も増加や、分割方法の複雑化が必要となる。「分割モード」は、分割数や分割方法等の組み合わせ等によって定義される分割の種類ということもできる。また、セキュリティエリアとは、印刷原稿において、ある一定のセキュリティレベルを保持したい領域のことである。例えば、印刷原稿に掲載されているグラフが重要であり、機密性が高い場合は、グラフに対する復元及び解析の困難性を高めるような分割方法を選択することが可能である。したがって、ユーザは、「社外に対して秘匿性が高く、特に記載された文章に高い重要性及び機密性がある」印刷原稿に対しては、「社外の人間が分割後の原稿画像データから分割前の文章を復元及び解析不可能な程度分割する」セキュリティポリシーを設定し、それに応じた分割の程度及び方法を用いるための分割モードを選択することができる。
【００２５】
また、「印刷情報」とは、原稿読取部２０１が「印刷原稿」における「原稿画像」の読み取りを実行する際及びハイブリッド印刷装置１００が印刷を実行する際に、ユーザによって入力される、読み取り条件及び印刷条件等を指す。すなわち、読み取り条件としては、カラーモード、読み取り倍率、読み取り画質、読み取り解像度、読み取った原稿画像データの保存の有無及び読み取った原稿画像データの保存先、原稿読取方向等が指定可能である。また、印刷条件としては、印刷部数、印刷用紙サイズ、段組形式、印刷倍率、印刷用紙排出時のホチキス及びパンチ等による整形方法、原稿印刷画質等が指定可能である。「印刷原稿」とは、ハイブリッド印刷装置１００が印刷を行う非印刷物であり、「原稿画像」とは、印刷原稿に掲載された文字及び写真等である。
【００２６】
さらに、「分割モード切替信号」とは、画像分割部２０３が有する分割方法の中から、ユーザが選択した分割方法の情報を含んだ信号である。
【００２７】
図１０（ｂ）は、パネル入力部２０２がユーザに対して原稿画像データの分割方法の入力を促す画面の一例である。図１０（Ｃ）は、図１０（ｂ）でユーザが「１．行単位に分割」を入力した際に表示される画面の一例である。図１０（ｃ）に示すように、分割方法が入力された後、パネル入力部２０２はユーザに対して、原稿読取部２０１が印刷原稿における原稿画像の読取を開始するスタートボタンを押下するよう促す。図１０（ｄ）は、図１０（ｂ）でユーザが「５．エリアを選択して分割」を入力した際に表示される画面の１例である。図１０（ｄ）に示すように、分割方法が入力された後、パネル入力部２０２はユーザに対して、孔版印刷を行うべき印刷原稿における原稿画像の領域を指定するよう促す。ユーザはタッチペン等を使用して目的の領域を指示する。このとき、ユーザが指定する閉じた領域は孔版印刷部１０３が孔版印刷を行い、印刷原稿における原稿画像の指定領域以外の領域はインクジェット印刷部１０４がインクジェット印刷を行う。図１０（ｅ）は、ユーザが孔版印刷を行う領域を指定した際の表示等の一例である。
【００２８】
画像分割部２０３は、パネル入力部２０２が出力した分割モード切替信号に基づいて、原稿画像データを分割して出力する。原稿画像データは、原稿読取部２０１が印刷原稿を読み取り電子化することで利用可能である。また、外部に接続されたコンピュータ等の情報処理装置から直接取得することでも利用可能である。画像分割部２０３は、原稿画像データをライン単位で、複数の出力先へそれぞれ出力するラインセレクタ回路３０１及び原稿画像データをドット単位で、複数の出力先へそれぞれ出力するドットセレクタ回路３０２とを備える。
【００２９】
ここで、「ライン」とは、主走査方向の読み取り有効幅と副走査方向の読み取り分解能によって囲まれた領域を指す。主走査方向の読み取り有効幅とは、印刷原稿を読み取ることが可能な主走査方向の物理的に最大な距離を指し、読み取り分解能とは、原稿読取部２０１が扱う物理量の最小単位であり、原稿読取部２０１の性能に依存する。すなわち、原稿読取部２０１の副走査方向の分解能が４００ｄｐｉであれば、印刷原稿を読み取ることが可能な副走査方向の幅は、６３．５μｍ（１ｉｎｃｈ／４００ｄｏｔ＝２５．４ｍｍ／４００ｄｏｔ＝０．０６３５ｍｍ）となる。すなわち、副走査方向の分解能が４００ｄｐｉの原稿読取部２０１は、印刷原稿を１ライン毎に６３．５μｍの幅で読み取る。また、原稿読取部２０１の副走査方向の分解能が１２００ｄｐｉであれば、印刷原稿を読み取ることが可能な副走査方向の幅は、２１．２μｍとなる。
【００３０】
ラインセレクタ回路３０１は、原稿画像データを１ライン毎に分割して出力することが可能であり、３ライン毎に分割して出力することも可能である。なお、本発明の第１の実施の形態に係る原稿読取部２０１は、簡単のため、１つのラインを読み取る際の副走査方向の読み取り幅を印刷原稿の行の幅と同一として説明する。すなわち、原稿読取部２０１が読み取る印刷原稿の１番目のラインは、印刷原稿に掲載された１行目の文字列等と等しいとする。なお、複数の出力先への出力を切り替える際に、切り替えの基準となる原稿画像データのライン数は、初期設定値が採用されるか、あるいは、ユーザが印刷実施の際に印刷のオプションまたはプロパティとして設定する値が採用される。出力先を切り替える際のライン数は、印刷原稿が有するセキュリティレベルに対応する。すなわち、ライン数が小さければ小さいほど、原稿画像データは細かく分割されるため、復元及び解析等への困難性が増加する。したがって、印刷原稿の有するセキュリティレベルが高ければ、ユーザはそれに応じて、ライン数を小さくすることができる。
【００３１】
図２に示す、本発明の第１の実施の形態に係るラインセレクタ回路３０１は、原稿画像データを１ライン毎に第１のバッファ３０３及び第２のバッファ３０４に分割して出力する。すなわち、奇数番目のラインの原稿画像データは、ラインセレクタ回路３０１のＯＵＴ１端子及び第１のバッファ３０３におけるＯＥ（Output Enable）端子を経由して第１のバッファ３０３に保存される。また、偶数番目のラインの原稿画像データは、ラインセレクタ回路３０１のＯＵＴ２端子及び第２のバッファ３０４におけるＯＥ端子を経由して第２のバッファ３０４に保存される。第１のバッファ３０３及び第２のバッファ３０４には、ＲＡＭ等が採用可能である。第１のバッファ３０３に保存された奇数番目のラインの原稿画像データは、孔版印刷を行うために、孔版印刷用に画像処理を施す（以下において、「孔版印刷データ」という。）サーマルヘッド画像処理部２０４を経て、図１に示すサーマルヘッド１２５に、画像分割部２０３によって送信される。また、図２に示す第２のバッファ３０４に保存された偶数番目のラインの原稿画像データは、インクジェット印刷を行うために、インクジェット印刷用に画像処理を施す（以下において、「インクジェット印刷データ」という。）インクジェットヘッド画像処理部２０６及び孔版印刷後の印刷用紙と印刷のタイミングを調整するために一時的に原稿画像データを保存する出力バッファ２０７を経て、図１に示すインクジェットヘッド１２０に、画像分割部２０３によって送信される。
【００３２】
図３は、原稿画像データが奇数番目及び偶数番目のラインに分割され、それぞれ孔版印刷及びインクジェット印刷を施されるハイブリッド印刷の概要を示す模式図である。図３に示す原稿画像データは１２行のラインで構成され、図や写真等の文字以外のデータを含む。奇数番目のラインの原稿画像データは、図２に示すラインセレクタ回路３０１によって第１のバッファ３０３を経て、サーマルヘッド画像処理部２０４で孔版印刷データに処理される。図３に示すように、印刷原稿に掲載されている図及び写真等文字以外のデータもライン毎に分割される。また、偶数番目のラインの原稿画像データは、図２に示すラインセレクタ回路３０１によって第２のバッファ３０４を経て、インクジェットヘッド画像処理部２０６でインクジェット印刷データに処理される。孔版印刷データに画像処理された、印刷原稿の奇数番目のラインの原稿画像データは、図１６に示すサーマルヘッド１２５によって孔版原紙１２９に穿孔製版され、孔版印刷用ドラム１０８に巻装され、製版されている原稿画像データを転写し、孔版印刷を行う。続いて、インクジェット印刷データに画像処理された、印刷原稿の偶数番目のラインの原稿画像データは、一旦図１に示す出力バッファ２０７に蓄積され、孔版印刷を施された印刷用紙１０１が搬送されるタイミングを調整した後、インクジェットヘッド１２０がインクジェットインクを飛沫転写することで、インクジェット印刷を行う。奇数番目のライン及び偶数番目のラインにおける原稿画像データをそれぞれ孔版印刷及びインクジェット印刷することで、原稿画像データ全体をハイブリッド印刷画像としてハイブリッド印刷が完了する。
【００３３】
また、「ドット」とは原稿画像データを再現するための最小の単位である点ひとつひとつのことであり、本発明の第１の実施の形態においては原稿画像データを構成する最小単位である画素と等しいものとする。ドットセレクタ回路３０２は、原稿画像データの任意の画素を選択し複数に分割し出力することが可能である。
【００３４】
ドットセレクタ回路３０２は、原稿画像データを１ドット毎に分割して出力することが可能であり、３ドット毎に分割して出力することも可能である。なお、本発明の第１の実施の形態に係る原稿画像データの１画素は１ドットで構成されているものとする。なお、複数の出力先への出力を切り替える際に、切り替えの基準となる原稿画像データのドット数は、初期設定値が採用されるか、あるいは、ユーザが印刷実施の際に印刷のオプションまたはプロパティとして設定する値が採用される。出力先を切り替える際のライン数は、印刷原稿が有するセキュリティレベルに対応する。すなわち、ドット数が小さければ小さいほど、原稿画像データは細かく分割されるため、復元及び解析等への困難性が増加する。したがって、印刷原稿の有するセキュリティレベルが高ければ、ユーザはそれに応じて、ドット数を小さくすることができる。
【００３５】
図２に示す、本発明の第１の実施の形態に係るドットセレクタ回路３０２は、原稿画像データを１ドット毎に第１のバッファ３０３及び第２のバッファ３０４に分割する。
【００３６】
図４は、原稿画像データが奇数番目及び偶数番目のドットに分割され、それぞれ孔版印刷及びインクジェット印刷を施されるハイブリッド印刷の概要を示す模式図である。図４に示す原稿画像データは１７画素で構成される。原稿画像データは、文字以外の写真及びグラフ等を含むことが可能である。奇数番目のドット、すなわち画素１、３、５、７、９、１１、１３、１５及び１７の原稿画像データは、図２に示す画像分割部２０３によってドットセレクタ回路３０２のＯＵＴ１端子及び第１のバッファ３０３に保存され、その後、第１のバッファ３０３を経て、サーマルヘッド画像処理部２０４で孔版印刷データに処理される。また、偶数番目のドット、すなわち画素２、４、６、８、１０、１２、１４及び１６の原稿画像データは、図２に示す画像分割部２０３によってドットセレクタ回路３０２のＯＵＴ１端子及び第２のバッファ３０４に保存され、その後、第２のバッファ３０４を経て、インクジェットヘッド画像処理部２０６でインクジェット印刷データに処理される。
【００３７】
原稿画像データが文字、図及び写真を含んでいる場合も、原稿画像データを再現する最小単位のドット毎に分割される。孔版印刷データに画像処理された、印刷原稿の奇数番目のドットの原稿画像データは、図１６に示すサーマルヘッド１２５によって孔版原紙１２９に穿孔製版され、孔版印刷用ドラムに巻装され、製版されている原稿画像データを転写し、孔版印刷を行う。続いて、インクジェット印刷データに画像処理された、印刷原稿の偶数番目のドットの原稿画像データは、一旦図１に示す出力バッファ２０７に蓄積され、孔版印刷を施された印刷用紙が搬送されるタイミングを調整し、インクジェットヘッド１２０がインクジェットインクを飛沫転写することで、インクジェット印刷を行う。奇数番目のドット及び偶数番目のドットにおける原稿画像データをそれぞれ孔版印刷及びインクジェット印刷することで、原稿画像データ全体をハイブリッド印刷画像としてハイブリッド印刷が完了する。
【００３８】
＜ハイブリッド印刷装置の概要＞
次に、図１６は本発明の第１の実施の形態におけるハイブリッド印刷装置１００の概略構成図の一例である。図１６において、ハイブリッド印刷装置１００は、印刷媒体である印刷用紙１０１を給紙する給紙部１０２と、この給紙された印刷用紙１０１を、孔版印刷用ドラム１０８に押圧し、孔版原紙１２９の穿孔から孔版印刷用インクを転写して孔版印刷を行う孔版印刷を施す孔版印刷部１０３と、孔版印刷された印刷用紙１０１を搬送し、インクジェット印刷部１０４に給紙する用紙搬送部１０５と、孔版印刷部１０３よりも用紙搬送方向下流側に配置され、用紙搬送部１０５により搬送された印刷用紙１０１にインクジェット印刷を施すインクジェット印刷部１０４と、インクジェット印刷部１０４から排出された印刷用紙１０１を排紙台１０６に排紙する排紙部１０７と、ハイブリッド印刷装置１００に対して着脱自在に設けられ、製版された孔版原紙１２９を外周面に着版した孔版印刷用ドラム１０８と、孔版印刷用ドラム１０８に装着された孔版原紙１２９を廃棄する排版部１０９とを有している。なお、孔版印刷部１０３は所望の印刷画像に基づいて孔版原紙１２９に穿孔する製版部１１０を備える。
【００３９】
給紙部１０２は、印刷用紙１０１が積載される給紙台１１１と、この給紙台１１１に積載された最上位置の印刷用紙１０１のみ順次搬送する１次給紙ロール１１２と、この１次給紙ロール１１２によって搬送された印刷用紙１０１を孔版印刷部１０３に所定のタイミングで給紙する２次給紙ロール１１３とを有している。
【００４０】
孔版印刷部１０３は、多孔構造によるインク通過性部材で外周壁が設けられた孔版印刷用ドラム１０８と、この孔版印刷用ドラム１０８の外周壁に設けられ、製版された孔版原紙１２９の先端をクランプする図示しないクランプ部と、孔版印刷用ドラム１０８の外周壁に内周面側からインクを供給する図示しないインク供給部と、回転する孔版印刷用ドラム１０８の外周壁に押圧する押圧位置と孔版印刷用ドラム１０８の外周壁から離間する離間位置との間で変移自在な押圧ロール１１４とを有する。孔版印刷用ドラム１０８はハイブリッド印刷装置１００に回転自在で設けられ、先端をクランプ部にてクランプされた孔版原紙１２９が巻き付き装着される。そして、印刷用紙１０１が給紙されると、孔版原紙１２９が装着された孔版印刷用ドラム１０８に押圧ロール１１４が押圧し、孔版印刷用ドラム１０８と押圧ロール１１４との間を印刷用紙１０１が押圧搬送される過程で孔版原紙１２９の穿孔箇所を通過するインクが印刷用紙１０１に転写されることによって所定の印刷画像が形成される。
【００４１】
一方、ハイブリッド印刷装置１００に装着できる孔版印刷用ドラム１０８として内部のインク供給部からインクの代わりにプレコート液材を供給するものが用意されている。つまり、ハイブリッド印刷装置１００に装着する孔版印刷用ドラム１０８としてインク供給用のものとプレコート液材供給用のものとが用意されており、これらを自由に交換できる。プレコート液材は、油分：水分の割合が３：７〜４：６の範囲で構成されたエマルション液材であって、乳白色であるが印刷用紙に塗布されると無色透明となるものが使用されている。
【００４２】
用紙搬送部１０５は、孔版印刷用ドラム１０８から印刷用紙１０１を引き剥がす分離爪１１５と、孔版印刷用ドラム１０８から離間した印刷用紙１０１を搬送する一対の搬送ロール１１６と，この一対の搬送ロール１１６から排出される印刷用紙１０１を吸引ファン１１７でベルト面に吸引しつつ搬送するベルト搬送部１１８の上流部分と、このベルト搬送部１１８のベルト面に印刷用紙１０１を密着させる複数のガイドロール１１９とから構成されている。ベルト搬送部１１８は、後述するようにインクジェット印刷部１０４の搬送手段を兼用している。そして、用紙搬送部１０５は、孔版印刷部１０３の印刷位置とインクジェット印刷部１０４の印刷位置との間の実質的搬送距離Ｌが少なくとも使用可能な印刷用紙１０１の最大用紙サイズ長（印刷用紙１０１の最大用紙サイズ長以上）を有するように設けられている。一対の搬送ロール１１６及びベルト搬送部１１８のベルト面によって形成される用紙搬送部１０５の搬送経路は、水平方向にストレートな経路で形成されてあり、第１実施形態では直線距離が少なくとも使用可能な印刷用紙１０１の最大用紙サイズ長（印刷用紙１０１の最大用紙サイズ長以上）を有するように設定されている。
【００４３】
インクジェット印刷部１０４は、用紙搬送部１０５のベルト搬送部１１８の下流部分と、この下流部分の上方位置に配置されたインクジェットヘッド１２０とを有している。また、インクジェット印刷部１０４は、印刷用紙１０１の搬送方向および印刷用紙１０１の搬送方向に対して直交する方向であって印刷用紙の印刷面に沿う方向へ２次元的および相対的に移動可能なインクジェットヘッド部が微滴化したインクジェットインクを印刷用紙１０１に噴出させ、印刷用紙１０１に付着させることで、印刷用紙１０１に原稿画像データに応じたカラーの文字や画像等を印刷する。インクジェット印刷部１０４は、孔版印刷部１０３よりも、印刷用紙搬送下流側に配置される。これは、孔版印刷方式が、印刷用紙１０１を孔版原紙１２９に押圧することでインクを転写する接触型の印刷方式であるのに対して、インクジェット印刷方式は、インクジェットヘッド１２０から吐出したインクジェットインクが空間を飛沫して印刷用紙１０１に着弾する非接触型の印刷方式であるため、孔版方式の印刷に続いてインクジェット方式の印刷を行う構成にした方が、孔版印刷部１０３が印刷の際に印刷用紙１０１上の未乾燥なインクへ接触することで発生する擦り滲みを防ぐことができる。
【００４４】
また、プレコート供給用の孔版印刷用ドラム１０８を装着したインクジェットヘッド１２０のインクジェット印刷において、印刷用紙１０１上に着弾したインクの広がりをプレコート層によって阻止できるため、印刷用紙１０１の紙質にかかわらずインクジェット印刷部１０４でインク滲みのない印刷画像を印刷できる。また、孔版印刷部１０３の印刷位置とインクジェット印刷部１０４の印刷位置との間の実質的搬送距離Ｌが少なくとも使用可能な印刷用紙１０１の最大用紙サイズ長（印刷用紙１０１の最大用紙サイズ長以上）を有するので、孔版印刷部１０３とインクジェット印刷部１０４のように印刷スピードが異なる場合にあっても画像が伸びたり、縮んだりする悪影響等が発生しない。
【００４５】
排版部１０９は、孔版印刷用ドラム１０８の外周面よりクランプ解除された使用済みの孔版原紙１２９の先端を導き、孔版印刷用ドラム１０８より引き剥がしながら搬送する排版搬送ロール１２１と、排版搬送ロール１２１により搬送されてくる孔版原紙１２９を収納する排版ボックス１２２と、孔版印刷用ドラム１０８の外周面に孔版原紙１２９が巻き付き装着されているか否かを検出する原紙確認センサ１２３とを備える。
【００４６】
製版部１１０は、ロールされた長尺状の孔版原紙１２９と、孔版原紙１２９を収容する原紙収容部１２４と、この原紙収容部１２４の搬送下流に配置されたサーマルヘッド１２５と、このサーマルヘッド１２５の対向位置に配置されたプラテンロール１２６と、このプラテンロール１２６及びサーマルヘッド１２５の搬送下流に配置された原紙カッタ１２７とを有する。
【００４７】
プラテンロール１２６の回転により長尺状の孔版原紙１２９を搬送し、原稿読取部２０１で読み取った原稿画像データに基づきサーマルヘッド１２５の各点状発熱体が選択的に発熱動作することにより孔版原紙１２９に感熱穿孔して製版し、この製版された孔版原紙１２９を原紙カッタ１２７で切断して所定長さの孔版原紙１２９を作製するようになっている。
【００４８】
画像分割基板１２８は、原稿読取部２０１が読み取った印刷原稿の原稿画像データを、ユーザによって指示された方法に従って分割する。画像分割基板１２８は、中央演算処理装置（ＣＰＵ）を有する。
【００４９】
＜ハイブリッド印刷装置によるライン単位の分割処理＞
次に、本発明の第１の実施の形態のハイブリッド印刷装置１００が、原稿読取部２０１によって読み取った原稿画像データを、図２に示す画像分割部２０３が備えるラインセレクタ回路３０１によって行う分割の処理について図５のフローチャートを参照しながら説明する。なお、原稿読取部２０１が読み取る印刷原稿の原稿画像は、４ライン以上の画像で構成されるものとする。
【００５０】
（イ）ステップＳ１０１において、図２に示すパネル入力部２０２はユーザに対して、原稿読取部２０１が読み取った結果出力される原稿画像データに対する分割の方法を示す分割モードの入力を促す。ユーザによって「ライン単位の分割」が選択されると、パネル入力部２０２は、ライン単位の分割処理を施すラインセレクタ回路３０１へのチップセレクト信号である分割モード切替信号を出力する。
【００５１】
（ロ）ステップＳ１０２において、ラインセレクタ回路３０１はチップセレクトを通して、パネル入力部２０２が出力した分割モード切替信号を入力し、ラインセレクタ回路３０１が起動する。
【００５２】
（ハ）ステップＳ１０３において、原稿読取部２０１に印刷原稿をセットされた場合は、ステップＳ１０４において、パネル入力部２０２は、原稿読取の実行指示のため、ユーザにスタートボタンが押下するよう促す。印刷原稿がセットされない場合は、ステップＳ１０１に戻り、パネル入力部２０２はユーザに分割モードの入力を促す。ステップＳ１０４において、一定時間、スタートボタンが押下されない場合は、ステップＳ１０１に戻り、パネル入力部２０２はユーザに分割モードの入力を促す。
【００５３】
（ニ）ステップＳ１０５において、ステップＳ１０４で、ユーザにより原スタートボタンが押下されると、ラインセレクタ回路３０１の動作オプションの１つである「バッファの設定値Ｘ」が、初期設定値あるいはユーザの指示に応じて設定される。ここで、「バッファの設定値Ｘ」とは、ラインセレクタ回路３０１がライン単位で読み取った原稿画像データを、第１のバッファ３０３及び第２のバッファ３０４のいずれに出力するかを示すフラグ値であり、ｉに設定される。なお、ｉは自然数とする。バッファの設定値Ｘがｉのときには、ラインセレクタ回路３０１はライン毎に読み取られた原稿画像データを第１のバッファ３０３に出力し、バッファの設定値Ｘがｉ以外のときには、第２のバッファ３０４に出力する。ここでは、バッファの設定値Ｘにはｉ＝１が設定されたとして説明する。
【００５４】
（ホ）ステップＳ１０６において、ラインセレクタ回路３０１の動作オプションの１つである「ラインカウンタの設定値Ｙ」がセットされる。「ラインカウンタの設定値Ｙ」とは、１つのバッファに保存されるライン数を指し、ｊに設定される。また、「ラインカウンタ」とは、原稿読取部２０１が読み取ったラインの数をカウントするラインセレクタ回路３０１が備える機能である。なお、ｊは０以外の自然数とする。ラインカウンタの設定値Ｙの値がｊのとき、原稿読取部２０１は読み取った原稿画像データの出力先をｊライン毎に変更する。すなわち、ラインカウンタの設定値Ｙの値ｊが１のときには、ラインセレクタ回路３０１はライン毎に読み取られた原稿画像データを１ライン毎に第１のバッファ３０３及び第２のバッファ３０４に出力し、ラインカウンタの設定値Ｙの値ｊが５のときには、５ライン毎に第１のバッファ３０３及び第２のバッファ３０４に出力する。ここでは、ラインカウンタの設定値Ｙの値ｊには２が設定されたとして説明する。
【００５５】
（ヘ）ステップＳ１０７において、原稿読取部２０１は、印刷原稿の１番目のラインを読み取る。ステップＳ１０８において、ステップＳ１０７で読み取った１番目のラインを第１のバッファ３０３に保存する。このとき、Ｘの値が１のためである。ステップＳ１０９において、ラインセレクタ回路３０１はＸの値が１かどうかを判定する。このとき、Ｘの値は１であるため、ステップＳ１１０において、第１のバッファ３０３に保存された１番目のラインの原稿画像データをサーマルヘッド画像処理部２０４へ出力する。ステップＳ１１２において、ラインセレクタ回路３０１はＹの値をディクリメントし、１を設定する。
【００５６】
（ト）ステップＳ１１３において、ラインセレクタ回路３０１は、原稿読取部２０１が印刷原稿における原稿画像の読み取りを終了したか否か判定する。このとき、原稿画像の読み取りが終了していれば、ラインセレクタ回路３０１が行う分割の処理を終了する。原稿画像の読み取りが終了していなければ、ステップＳ１１４において、Ｙの値が０であるか否かを判定する。このとき、Ｙの値は１であり０とは異なるため、ステップＳ１０７において、原稿画像の２番目のラインを読み取る。ステップＳ１０８において、ステップＳ１０７で読み取った２番目のラインを第１のバッファ３０３に保存する。Ｘの値が１のためである。ステップＳ１０９において、ラインセレクタ回路３０１はＸの値が１かどうかを判定する。このとき、Ｘの値は１であるため、ステップＳ１１０において、第１のバッファ３０３に保存された２番目のラインの原稿画像データをサーマルヘッド画像処理部２０４へ出力する。ステップＳ１１２において、ラインセレクタ回路３０１はＹの値をディクリメントし、０を設定する。
【００５７】
（チ）ステップＳ１１３において、ラインセレクタ回路３０１は、原稿読取部２０１が印刷原稿における原稿画像の読み取りを終了したか否か判定する。このとき、原稿画像の読み取りは終了していれば、ラインセレクタ回路３０１が行う分割の処理を終了する。原稿画像の読み取りが終了していなければ、ステップＳ１１４において、Ｙの値が０であるか否かを判定する。原稿画像の読み取りが終了した場合は、このとき、Ｙの値は０であるため、ステップＳ１１５において、Ｘの値が１かどうかを判定する。このとき、Ｘの値は１であるため、ステップＳ１１６において、Ｘの値をインクリメントし、２を設定した後、ステップＳ１０６に移行する。
【００５８】
（リ）ステップＳ１０６において、Ｙの値に２が設定される。ステップＳ１０７において、原稿画像の３番目のラインを読み取る。ステップＳ１０８において、ステップＳ１０７で読み取った３番目のラインを第２のバッファ３０４に保存する。このとき、Ｘの値が２のためである。ステップＳ１０９において、ラインセレクタ回路３０１はＸの値が１かどうかを判定する。このとき、Ｘの値は２であるため、ステップＳ１１１において、第２のバッファ３０４に保存された３番目のラインの原稿画像データをインクジェットヘッド画像処理部２０６へ出力する。ステップＳ１１８において、追加印刷許可情報が追加印刷を許可する情報を保持している場合、ステップ１１９において、記憶部２０９は画像分割部２０３が第２のバッファ３０４から出力した３番目のラインの原稿画像データを記憶し、ステップＳ１１２において、ラインセレクタ回路３０１はＹの値をディクリメントし、１を設定する。
【００５９】
ステップＳ１１８において、追加印刷許可情報に追加印刷を許可する情報を保持していない場合、直ちにステップＳ１１２において、ラインセレクタ回路３０１はＹの値をディクリメントし、１を設定する。
【００６０】
（ヌ）ステップＳ１１３において、ラインセレクタ回路３０１は、原稿読取部２０１が印刷原稿における原稿画像の読み取りを終了したか否か判定する。このとき、原稿画像の読み取りは終了していれば、ラインセレクタ回路３０１が行う分割の処理を終了する。原稿画像の読み取りが終了していなければ、ステップＳ１１４において、Ｙの値が０であるか否かを判定する。このとき、Ｙの値は１であり０とは異なるため、ステップＳ１０７において、原稿画像の４番目のラインを読み取る。ステップＳ１０８において、ステップＳ１０７で読み取った４番目のラインを第２のバッファ３０４に保存する。Ｘの値が２のためである。
【００６１】
（ル）ステップＳ１０９において、ラインセレクタ回路３０１はＸの値が１かどうかを判定する。このとき、Ｘの値は２であるため、ステップＳ１１１において、第２のバッファ３０４に保存された４番目のラインの原稿画像データをインクジェットヘッド画像処理部２０６へ出力する。ステップＳ１１２において、ラインセレクタ回路３０１はＹの値をディクリメントし、０を設定する。
【００６２】
（ヲ）ステップＳ１１３において、ラインセレクタ回路３０１は、原稿読取部２０１が印刷原稿における原稿画像の読み取りを終了したか否か判定する。このとき、原稿画像の読み取りは終了していないため、ステップＳ１１４において、Ｙの値が０であるか否かを判定する。このとき、Ｙの値は０であるため、ステップＳ１１５において、Ｘの値が１かどうかを判定する。このとき、Ｘの値は２であるため、ステップＳ１１７において、Ｘの値に１を設定した後、ステップＳ１０６に移行する。
【００６３】
以下、印刷原稿における原稿画像の全てのラインが読み取られるまで、ステップＳ１０６からステップＳ１１７までの処理が繰り返される。ステップＳ１１３において、原稿読取部２０１が原稿画像の全てのラインを読み取った際に、ラインセレクタ回路３０１が行う分割の処理は終了する。
【００６４】
＜ハイブリッド印刷装置によるドット単位の分割処理＞
次に、本発明の第１の実施の形態のハイブリッド印刷装置１００が、原稿読取部２０１によって読み取った原稿画像データを、図２に示す画像分割部２０３が備えるドットセレクタ回路３０２によって行う分割の処理について図５及び６のフローチャートを参照しながら説明する。なお、原稿読取部２０１が読み取る印刷原稿の原稿画像は、１７画素以上の画像で構成されているものとする。
【００６５】
（イ）図５に示すステップＳ１０１において、図２に示すパネル入力部２０２はユーザに対して、原稿読取部２０１が読み取った結果出力される原稿画像データに対する分割の方法を示す分割モードの入力を促す。ユーザによって「ドット単位の分割」が選択されると、パネル入力部２０２は、ドット単位の分割処理を施すドットセレクタ回路３０２へのチップセレクト信号である分割モード切替信号を出力する。ドット単位の分割処理が選択されると、図６のステップＳ２０１に移行する。
【００６６】
（ロ）図６に示すステップＳ２０１において、ドットセレクタ回路３０２はチップセレクトを通して、パネル入力部２０２が出力した分割モード切替信号を入力し、ドットセレクタ回路３０２が起動する。
【００６７】
（ハ）ステップＳ２０２において、原稿読取部２０１に印刷原稿をセットされた場合は、ステップＳ２０３において、パネル入力部２０２は、原稿読取の実行指示のため、ユーザにスタートボタンが押下するよう促す。印刷原稿がセットされない場合は、ステップＳ１０１に戻り、パネル入力部２０２はユーザに分割モードの入力を促す。ステップＳ２０３において、一定時間、スタートボタンが押下されない場合は、ステップＳ１０１に戻り、パネル入力部２０２はユーザに分割モードの入力を促す。
【００６８】
（ニ）図６に示すステップＳ２０４において、ステップＳ２０３で、スタートボタンが押下されると、バッファの設定値Ｘが、初期設定値あるいはユーザの指示に応じてｉに設定される。バッファの設定値Ｘがｉのとき、ドットセレクタ回路３０２はドット毎に読み取られた原稿画像データを第１のバッファ３０３に出力し、バッファの設定値Ｘがｉ以外のときには、第２のバッファ３０４に出力する。ここでは、バッファの設定値Ｘにはｉ＝１が設定されたとして説明する。
【００６９】
（ホ）ステップＳ２０５において、ドットカウンタの設定値Ｙがｊにセットされる。ドットカウンタの設定値Ｙの値がｊのとき、原稿読取部２０１は読み取った原稿画像データの出力先をｊドット毎に変更する。ここでは、ドットカウンタの設定値Ｙの値ｊには２が設定されたとして説明する。また、「ドットカウンタ」とは、原稿読取部２０１が読み取ったドットの数をカウントするドットセレクタ回路３０２が備える機能である。
【００７０】
（ヘ）ステップＳ２０６において、印刷原稿における原稿画像の１番目のドットを読み取る。ステップＳ２０７において、ステップＳ２０６で読み取った１番目のドットを第１のバッファ３０３に保存する。このとき、Ｘの値が１のためである。ステップＳ２０８において、ドットセレクタ回路３０２はＸの値が１かどうかを判定する。このとき、Ｘの値は１であるため、ステップＳ２０９において、第１のバッファ３０３に保存された１番目のドットの原稿画像データをサーマルヘッド画像処理部２０４へ出力する。ステップＳ２１１において、ドットセレクタ回路３０２はＹの値をディクリメントし、１を設定する。
【００７１】
（ト）ステップＳ２１２において、ドットセレクタ回路３０２は、原稿読取部２０１が印刷原稿における原稿画像の読み取りを終了したか否か判定する。このとき、原稿画像の読み取りが終了していれば、ドットセレクタ回路３０２が行う分割の処理を終了する。原稿画像の読み取りが終了していなければ、ステップＳ２１３において、Ｙの値が０であるか否かを判定する。このとき、Ｙの値は１であり０とは異なるため、ステップＳ２０６において、原稿画像の２番目のドットを読み取る。ステップＳ２０７において、ステップＳ１０７で読み取った２番目のドットを第１のバッファ３０３に保存する。Ｘの値が１のためである。ステップＳ２０８において、ドットセレクタ回路３０２はＸの値が１かどうかを判定する。このとき、Ｘの値は１であるため、ステップＳ２０９において、第１のバッファ３０３に保存された２番目のドットの原稿画像データをサーマルヘッド画像処理部２０４へ出力する。ステップＳ２１１において、ドットセレクタ回路３０２はＹの値をディクリメントし、０を設定する。
【００７２】
（チ）ステップＳ２１２において、ドットセレクタ回路３０２は、原稿読取部２０１が印刷原稿における原稿画像の読み取りを終了したか否か判定する。このとき、原稿画像の読み取りは終了していれば、ドットセレクタ回路３０２が行う分割の処理を終了する。原稿画像の読み取りが終了していなければ、ステップＳ２１３において、Ｙの値が０であるか否かを判定する。原稿画像の読み取りが終了した場合は、このとき、Ｙの値は０であるため、ステップＳ２１４において、Ｘの値が１かどうかを判定する。このとき、Ｘの値は１であるため、ステップＳ２１５において、Ｘの値をインクリメントし、２を設定した後、ステップＳ２０５に移行する。
【００７３】
（リ）ステップＳ２０５において、Ｙの値に２が設定される。ステップＳ２０６において、原稿画像の３番目のドットを読み取る。ステップＳ２０７において、ステップＳ１０６で読み取った３番目のドットを第２のバッファ３０４に保存する。このとき、Ｘの値が２のためである。ステップＳ２０８において、ドットセレクタ回路３０２はＸの値が１かどうかを判定する。このとき、Ｘの値は２であるため、ステップＳ２１０において、第２のバッファ３０４に保存された３番目のドットの原稿画像データをインクジェットヘッド画像処理部２０６へ出力する。ステップＳ２１７において、追加印刷許可情報が追加印刷を許可する情報を保持している場合、ステップＳ２１８において、記憶部２０９は画像分割部２０３が第２のバッファ３０４から出力した３番目のドットの原稿画像データを記憶し、ステップＳ２１１において、ドットセレクタ回路３０２はＹの値をディクリメントし、１を設定する。
【００７４】
ステップＳ２１７において、追加印刷許可情報に追加印刷を許可する情報を保持していない場合、直ちにステップＳ２１１において、ドットセレクタ回路３０２はＹの値をディクリメントし、１を設定する。
【００７５】
（ヌ）ステップＳ２１２において、ドットセレクタ回路３０２は、原稿読取部２０１が印刷原稿における原稿画像の読み取りを終了したか否か判定する。このとき、原稿画像の読み取りは終了していれば、ドットセレクタ回路３０２が行う分割の処理を終了する。原稿画像の読み取りが終了していなければ、ステップＳ２１３において、Ｙの値が０であるか否かを判定する。このとき、Ｙの値は１であり０とは異なるため、ステップＳ２０６において、原稿画像の４番目ドットを読み取る。ステップＳ２０７において、ステップＳ２０６で読み取った４番目のドットを第２のバッファ３０４に保存する。Ｘの値が２のためである。
【００７６】
（ル）ステップＳ２０８において、ドットセレクタ回路３０２はＸの値が１かどうかを判定する。このとき、Ｘの値は２であるため、ステップＳ２１０において、第２のバッファ３０４に保存された４番目のドットの原稿画像データをインクジェットヘッド画像処理部２０６へ出力する。ステップＳ２１１において、ドットセレクタ回路３０２はＹの値をディクリメントし、０を設定する。
【００７７】
（ヲ）ステップＳ２１２において、ドットセレクタ回路３０２は、原稿読取部２０１が印刷原稿における原稿画像の読み取りを終了したか否か判定する。このとき、原稿画像の読み取りは終了していないため、ステップＳ２１３において、Ｙの値が０であるか否かを判定する。このとき、Ｙの値は０であるため、ステップＳ２１４において、Ｘの値が１かどうかを判定する。このとき、Ｘの値は２であるため、ステップＳ２１６において、Ｘの値に１を設定した後、ステップＳ２０５に移行する。
【００７８】
以下、原稿画像の全てのドットが読み取られるまで、ステップＳ２０５からステップＳ２１６までの処理が繰り返される。ステップＳ２１２において、原稿読取部２０１が原稿画像の全てのドットを読み取った際に、ドットセレクタ回路３０２が行う分割の処理は終了する。
【００７９】
以上説明したように、本発明の第１の実施の形態に係るハイブリッド印刷装置によれば、画像分割部２０３が備えるラインセレクタ回路３０１及びドットセレクタ回路３０２は、原稿読取部２０１が印刷原稿の原稿画像を読み取った結果出力する原稿画像データをライン単位及びドット単位にそれぞれ分割し、複数の出力先へ順次出力することが可能である。分割された原稿画像データの一方は孔版印刷用の原稿画像データとして孔版原紙１２９に製版され、他方はインクジェット印刷用の原稿画像データとして出力バッファ２０７に蓄積される。また同時に、追加印刷許可情報が追加印刷を許可する情報を保持している場合は、記憶部２０９にも記憶され、追加印刷が実施される際に利用される。
【００８０】
孔版印刷部１０３の孔版印刷用ドラム１０８に巻装された孔版原紙１２９の原稿画像データは、印刷原稿の原稿画像全体の原稿画像データを分割した一部であるため、孔版印刷部１０３を通過した印刷用紙１０１に転写されている原稿画像データの印刷画像から、原稿画像全体の内容を把握することは極めて困難である。すなわち、孔版印刷部１０３の孔版印刷用ドラム１０８に巻装されている孔版原紙１２９を使い追加印刷を実施したり、排版ボックス１２２から印刷済みの孔版原紙１２９を入手した場合でも、それらの表示から原稿画像データの内容を把握することは極めて困難であり、機密文書等である印刷原稿の内容が漏洩することはない。
【００８１】
また、インクジェット印刷部１０４に出力された原稿画像データは、設定枚数の印刷が完了した時点で直ちに蓄積された出力バッファ２０７から消去されるため、原稿画像データ印刷後の原稿画像データの読み出しは、ほぼ不可能となる。そのため、原稿画像データの内容を認識することは著しく困難であり、機密文書等である印刷原稿の内容が漏洩することはない。
【００８２】
＜ハイブリッド印刷装置による追加印刷の処理＞
次に、本発明の第１の実施の形態のハイブリッド印刷装置１００が、原稿読取部２０１によって読み取った原稿画像データを追加印刷する処理について図１８のフローチャートを参照しながら説明する。
【００８３】
（イ）ステップＳ６０１において、ユーザの指示に基づいて、ハイブリッド印刷装置１００が追加印刷の要求を受信する。ステップＳ６０２において、追加印刷制御部２０８は、パネル入力部２０２の追加印刷実行キー１００５が押下されると、ステップＳ６０３において、操作の主体であるユーザに対してユーザＩＤの入力を促し、入力されたユーザＩＤが追加印刷許可情報が含むユーザＩＤと一致するか否か比較する。一致した場合、ステップＳ６０４において、ユーザに対してパスワードの入力を促し、入力されたパスワードが追加印刷許可情報が含むパスワードと一致するか否か比較する。一致した場合、ステップＳ６０５において、ユーザに印刷部数の入力を促す。
【００８４】
（ロ）ユーザの指示に基づいて印刷部数が入力されると、ステップＳ６０６において、スタートボタンの入力を待機する。スタートボタンが押下されると、ステップＳ６０７において、追加印刷制御部２０８は記憶部２０９に記憶された原稿画像データをインクジェットヘッド画像処理部２０６に送信して、ハイブリッド印刷装置１００は追加印刷を実行する。ステップＳ６０８において、ストップボタンが押下されていない場合、追加印刷を継続する。ステップＳ６０９において、ステップＳ６０５で設定した印刷部数の印刷が完了すると追加印刷は終了する。
【００８５】
（ハ）ステップＳ６０２において、追加印刷実行キー１００５が押下されていない場合、ステップＳ６０３において、ユーザＩＤが追加印刷許可情報のものと相違した場合、ステップＳ６０４において、パスワードが追加印刷許可情報のものと相違した場合及びステップＳ６０５において、印刷部数の入力が追加印刷許可情報の含む許可部数を超えた場合は、再度ステップＳ６０２において、追加印刷実行キー１００５を押下することで、追加印刷を実行させる必要がある。
【００８６】
（ニ）ステップＳ６０８において、ストップボタン押下されなければ追加印刷を継続し、押下された場合は追加印刷を中断して、再度スタートボタンが押下されるまでハイブリッド印刷装置１００は待機する。ステップＳ６０９において、ステップ６０５で設定した部数の追加印刷が完了すれば追加印刷の処理は終了し、完了していなければ印刷部数に達するまで追加印刷の処理を継続する。
【００８７】
以上のように、本発明の第１の実施の形態に係るハイブリッド印刷装置によれば、追加印刷制御部２０８が記憶部２０９に記憶された追加印刷許可情報（ユーザＩＤ及びパスワード等）に基づいて、追加印刷を実行しようとするユーザを認証することで、不正に追加印刷を行う悪意の第三者等から不当な追加印刷を防止することが可能となる。また、追加印刷を許可する印刷部数を設定することで、無駄な印刷を排除することが可能となり、不必要な頒布もなく印刷物の管理が容易になるため、印刷物が含む機密情報の漏洩の危険性を抑制できる。さらに、追加印刷の処理に対する有効期限を設定しておくことで、原稿画像データの削除忘れによる、データの盗難の危険性を低減することが可能となる。
【００８８】
このようにして、本発明の第１の実施の形態に係るハイブリッド印刷装置は、秘匿性及び機密性の高い機密文書である印刷原稿の原稿画像を読み取り、その結果電子化した原稿画像データを分割することで、第三者への機密文書が含む機密情報の漏洩を防ぐことが可能になる。
【００８９】
（第２の実施の形態）
＜ハイブリッド印刷装置の構成＞
本発明の第２の実施の形態に係るハイブリッド印刷装置が備える画像分割部２０３は、図７に示すように、図２の画像分割部２０３に乱数を発生する乱数発生回路５０１を更に加えて構成される。図７に示すラインセレクタ回路３０１は、原稿画像データをライン毎に複数の出力先へ出力する際に、乱数発生回路５０１が発生した乱数の値に基づいて、出力先を切り替えるラインの数を決定する。例えば、乱数発生回路５０１の発生した乱数が３であれば、ラインセレクタ回路３０１は、原稿画像データにおける１番目から３番目までのラインのデータを第１のバッファ３０３に出力し、４番目から６番目のラインのデータを第２のバッファ３０４に出力する。すなわち、乱数発生回路５０１が発生した乱数の値に対応するラインの数毎に、出力先を切り替える。すなわち、図７に示す本発明の第２の実施の形態に係るラインセレクタ回路３０１は、乱数発生回路５０１が発生する乱数の値を原稿画像データの分割のライン数を決定する点で、図３に示す本発明の第１の実施の形態に係るラインセレクタ回路３０１とは異なる。
【００９０】
また、図７に示すドットセレクタ回路３０２は、原稿画像データをドット毎に複数の出力先へ出力する際に、乱数発生回路５０１が発生した乱数の値に基づいて、出力先を切り替えるドットの数を決定する。例えば、乱数発生回路５０１の発生した乱数が３であれば、ドットセレクタ回路３０２は、原稿画像データにおける１番目から３番目までのドットのデータを第１のバッファ３０３に出力し、４番目から６番目のドットのデータを第２のバッファ３０４に出力する。すなわち、乱数発生回路５０１が発生した乱数の値に対応するドットの数毎に、出力先を切り替える。すなわち、図７に示す本発明の第２の実施の形態に係るドットセレクタ回路３０２は、乱数発生回路５０１が発生する乱数の値を原稿画像データの分割のドット数に決定する点で、図３に示す本発明の第１の実施の形態に係るドットセレクタ回路３０２とは異なる。
【００９１】
＜ハイブリッド印刷装置によるライン単位の分割処理＞
次に、本発明の第２の実施の形態のハイブリッド印刷装置１００が、原稿読取部２０１によって読み取った原稿画像データを、図２に示す画像分割部２０３が備えるラインセレクタ回路３０１が行う分割の処理について図５のフローチャートを参照して説明する。
【００９２】
本発明の第２の実施の形態におけるラインセレクタ回路３０１が行う原稿画像データの分割処理方法は、図５に示す本発明の第１の実施の形態におけるラインセレクタ回路３０１等が行う原稿画像データの分割処理方法に係るステップＳ１０１〜１０５及びステップＳ１０７〜Ｓ１１９と同様であるが、ステップＳ１０６において異なる。すなわち、図５に示す本発明の第１の実施の形態におけるラインセレクタ回路３０１が行う原稿画像データの分割処理方法に係るステップＳ１０６において、Ｙの値は初期設定値が採用されるか、あるいは、ユーザが印刷実施の際に印刷のオプションまたはプロパティとして設定する値が採用される。しかし、本発明の第２の実施の形態におけるラインセレクタ回路３０１が行う原稿画像データの分割処理方法では、Ｙの値は、図５に示すステップＳ１０４においてスタートボタンが押下された後に乱数発生回路５０１が発生する乱数の値が採用される。
【００９３】
＜ハイブリッド印刷装置によるドット単位の分割処理＞
次に、本発明の第２の実施の形態のハイブリッド印刷装置１００が、原稿読取部２０１によって読み取った原稿画像データを、図２に示す画像分割部２０３が備えるドットセレクタ回路３０２が行う分割の処理について図６のフローチャートを参照して説明する。
【００９４】
本発明の第２の実施の形態におけるドットセレクタ回路３０２が行う原稿画像データの分割処理方法は、図６に示す本発明の第１の実施の形態におけるドットセレクタ回路３０２等が行う原稿画像データの分割処理方法に係るステップＳ２０１〜２０４及びステップＳ２０６〜Ｓ２１８と同様であるが、ステップＳ２０５において異なる。すなわち、図５に示す本発明の第１の実施の形態におけるドットセレクタ回路３０２が行う原稿画像データの分割処理方法に係るステップＳ２０５において、Ｙの値は初期設定値が採用されるか、あるいは、ユーザが印刷実施の際に印刷のオプションまたはプロパティとして設定する値が採用される。しかし、本発明の第２の実施の形態におけるドットセレクタ回路３０２が行う原稿画像データの分割処理方法では、Ｙの値は、図６に示すステップＳ２０５においてスタートボタンが押下された後に乱数発生回路５０１が発生する乱数の値が採用される。
【００９５】
以上説明したように、本発明の第２の実施の形態に係るハイブリッド印刷装置によれば、画像分割部２０３が備えるラインセレクタ回路３０１及びドットセレクタ回路３０２は、原稿読取部２０１が印刷原稿の原稿画像を読み取った結果出力する原稿画像データを、乱数発生回路５０１が発生する乱数の数値に対応するライン数の単位及びドット数の単位にそれぞれ分割し、複数の出力先へ順次出力することが可能である。分割された原稿画像データの一方は孔版印刷用の原稿画像データとして孔版原紙１２９に製版され、他方はインクジェット印刷用の原稿画像データとして出力バッファ２０７に蓄積される。また同時に、追加印刷許可情報が追加印刷を許可する情報を保持している場合は、記憶部２０９にも記憶され、追加印刷が実施される際に利用される。
【００９６】
なお、ハイブリッド印刷装置１００による追加印刷の処理は、本発明の第１の実施の形態と同様であり、原稿画像データの分割の方法には依存しない。ただし、画像分割部２０３による原稿画像データの分割方法によって記憶部２０９に蓄積される原稿画像データの中身は異なる。
【００９７】
このようにして、第１の実施の形態と同様に、本発明の第２の実施の形態に係るハイブリッド印刷装置は、秘匿性及び機密性の高い機密文書である印刷原稿の原稿画像を読み取り、その結果電子化した原稿画像データを分割することで、第三者への機密文書が含む機密情報の漏洩を防ぐことが可能になる。
【００９８】
（第３の実施の形態）
＜ハイブリッド印刷装置の構成＞
本発明の第３の実施の形態に係るハイブリッド印刷装置は、図８に示すように、画像分割部２０３において、原稿画像データを文字及び写真毎に分割し、それぞれ異なる複数の出力先へ出力する文字／写真識別回路４０１と、原稿画像データを文字毎に分割し、それぞれ異なる出力先へ出力する文字認識回路４０２とを備える。
【００９９】
文字／写真識別回路４０１は、原稿画像データを解析して、文字及び写真を識別する。原稿画像データにおいて識別された文字及び写真のデータは、複数の出力先にそれぞれ分割されて出力される。
【０１００】
図８に示す本発明の第３の実施の形態に係る画像分割部２０３は、原稿読取部２０１が印刷原稿の原稿画像を読み取って出力する原稿画像データを一旦、フレームバッファ４０３に保存する。本発明の第３の実施の形態に係る文字／写真識別回路４０１は、フレームバッファ４０３に保存された原稿画像データを解析し、原稿画像データを構成する文字及び写真のデータに分割して出力する。例えば、原稿画像データ全体における文字全体のデータについては文字／写真識別回路４０１のＯＵＴ１端子及び第１のバッファ３０３におけるＯＥ端子を経由して第１のバッファ３０３に保存される。また、原稿画像データ全体における写真全体のデータについては文字／写真識別回路４０１のＯＵＴ２端子及び第２のバッファ３０４におけるＯＥ端子を経由して第２のバッファ３０４に保存される。第１のバッファ３０３に保存された原稿画像データにおける文字全体のデータは、孔版印刷を行うために、孔版印刷用に画像処理を施すサーマルヘッド画像処理部２０４を経て、図１に示すサーマルヘッド１２５に、図８に示す画像分割部２０３によって送信される。また、図８に示す第２のバッファ３０４に保存された原稿画像データにおける写真全体のデータは、インクジェット印刷を行うために、インクジェット印刷用に画像処理を施すインクジェットヘッド画像処理部２０６及び孔版印刷後の印刷用紙と印刷のタイミングを調整するために一時的に原稿画像データを保存する出力バッファ２０７を経て、図１に示すインクジェットヘッド１２０に、図８に示す画像分割部２０３によって送信される。
【０１０１】
図９は、原稿画像データが文字全体のデータ及び写真全体のデータに分割され、それぞれ孔版印刷及びインクジェット印刷を施されるハイブリッド印刷の概要を示す模式図である。図９に示す原稿画像データは８０文字の文字列と２枚の写真で構成される。原稿画像データにおける文字全体のデータは、図８に示す文字／写真識別回路４０１によって、第１のバッファ３０３を経て、サーマルヘッド画像処理部２０４で孔版印刷データに処理される。また、原稿画像データにおける写真全体のデータは、図８に示す文字／写真識別回路４０１によって、第２のバッファ３０４を経て、インクジェットヘッド画像処理部２０６でインクジェット印刷データに処理される。孔版印刷データに画像処理された、原稿画像データの文字全体のデータは、サーマルヘッド１２５によって孔版原紙１２９に穿孔製版され、孔版印刷用ドラム１０８に巻装され、製版されている原稿画像データにおける文字全体のデータを転写し、孔版印刷を行う。続いて、インクジェット印刷データに画像処理された、原稿画像データにおける写真全体のデータは、一旦図１に示す出力バッファ２０７に蓄積され、孔版印刷を施された印刷用紙１０１が搬送されるタイミングを調整した後、インクジェットヘッド１２０がインクジェットインクを飛沫転写することで、インクジェット印刷を行う。原稿画像データにおける文字全体のデータと写真全体のデータをそれぞれ孔版印刷及びインクジェット印刷することで、原稿画像データ全体をハイブリッド印刷画像としてハイブリッド印刷が完了する。
【０１０２】
文字認識回路４０２は、原稿画像データを解析して、原稿画像データの主走査方向における文字毎の画素エリアを認識する。認識する文字は、平仮名、カタカナ、漢字、アルファベット、数字及び記号等である。文字毎に認識された原稿画像データにおいて識別された文字毎のデータは、複数の出力先にそれぞれ分割されて出力される。
【０１０３】
図８に示す本発明の第３の実施の形態に係る画像分割部２０３は、原稿読取部２０１が印刷原稿の原稿画像を読み取って出力する原稿画像データを一旦、フレームバッファ４０３に保存する。本発明の第３の実施の形態に係る文字認識回路４０２は、フレームバッファ４０３に保存された原稿画像データを解析し、原稿画像データを構成する文字毎のデータに分析して出力する。すなわち、原稿画像データの文字のデータ毎に文字認識回路４０２のＯＵＴ１端子及び第１のバッファ３０３におけるＯＥ端子を経由して第１のバッファ３０３に保存され、あるいは文字認識回路４０２のＯＵＴ２端子及び第２のバッファ３０４におけるＯＥ端子を経由して第２のバッファ３０４に保存される。出力の際には、任意の文字数毎に出力先を順に切り替える。例えば、原稿画像データの主走査方向の順で１文字毎に、第１のバッファ３０３及び第２のバッファ３０４に順に切り替えてそれぞれ保存する。印刷原稿のセキュリティレベルによって、３文字毎に原稿画像データの文字のデータを第１のバッファ３０３及び第２のバッファ３０４に順に切り替えてそれぞれ保存することも可能であり、５文字毎に出力先を順に切り替えてそれぞれ保存することも可能である。第１のバッファ３０３に保存された原稿画像データにおける文字毎のデータは、孔版印刷を行うために、孔版印刷用に画像処理を施すサーマルヘッド画像処理部２０４を経て、図１に示すサーマルヘッド１２５に、図８に示す画像分割部２０３によって送信される。また、図８に示す第２のバッファ３０４に保存された原稿画像データにおける文字毎のデータは、インクジェット印刷を行うために、インクジェット印刷用に画像処理を施すインクジェットヘッド画像処理部２０６及び孔版印刷後の印刷用紙と印刷のタイミングを調整するために一時的に原稿画像データを保存する出力バッファ２０７を経て、図１に示すインクジェットヘッド１２０に、図８に示す画像分割部２０３によって送信される。
【０１０４】
図１３は、原稿画像データが文字毎に分割され、それぞれ孔版印刷及びインクジェット印刷を施されるハイブリッド印刷の概要を示す模式図である。図１３に示す原稿画像データは文字のみによって構成され、１文字毎に分割される２つの出力先に出力される。図１３に示す原稿画像データは、図８に示す文字認識回路４０２によって、１文字単位で分割され、奇数番目の文字のデータは第１のバッファ３０３に、偶数番目の文字のデータは第２のバッファ３０４に出力される。原稿画像データの奇数番目の文字のデータは、第１のバッファ３０３を経て、サーマルヘッド画像処理部２０４で孔版印刷データに処理される。また、原稿画像データの偶数番目の文字のデータは、第２のバッファ３０４を経て、インクジェットヘッド画像処理部２０６でインクジェット印刷データに処理される。孔版印刷データに画像処理された、原稿画像データの奇数番目の文字のデータは、サーマルヘッド１２５によって孔版原紙１２９に穿孔製版され、孔版印刷用ドラム１０８に巻装され、製版されている原稿画像データの奇数番目の文字のデータを転写し、孔版印刷を行う。続いて、インクジェット印刷データに画像処理された、原稿画像データの偶数番目の文字のデータは、一旦図１に示す出力バッファ２０７に蓄積され、孔版印刷を施された印刷用紙１０１が搬送されるタイミングを調整した後、インクジェットヘッド１２０がインクジェットインクを飛沫転写することで、インクジェット印刷を行う。原稿画像データの奇数番目の文字のデータと偶数番目の文字のデータをそれぞれ孔版印刷及びインクジェット印刷することで、原稿画像データ全体をハイブリッド印刷画像としてハイブリッド印刷が完了する。
【０１０５】
なお、複数の出力先への出力を切り替える際に、切り替えの基準となる原稿画像データの文字数は、初期設定値が採用されるか、あるいは、ユーザが印刷実施の際に印刷のオプションまたはプロパティとして設定する値が採用される。出力先を切り替える際の文字数は、印刷原稿が有するセキュリティレベルに対応する。すなわち、文字数が小さければ小さいほど、原稿画像データは細かく分割されるため、復元及び解析等への困難性が増加する。したがって、印刷原稿の有するセキュリティレベルが高ければ、ユーザはそれに応じて、文字数を小さくすることができる。
【０１０６】
＜ハイブリッド印刷装置による文字及び写真の分割処理＞
次に、本発明の第３の実施の形態のハイブリッド印刷装置１００が、原稿読取部２０１によって読み取った原稿画像データを、図８に示す画像分割部２０３が備える文字／写真識別回路４０１が行う分割の処理の特徴を図５及び図１１のフローチャートを参照して説明する。なお、原稿読取部２０１が読み取る印刷原稿の原稿画像は、図９に示すように４０文字１２行１０列の文字及び２枚の写真で構成されるものとする。
【０１０７】
（イ）図５に示すステップＳ１０１において、図８に示すパネル入力部２０２はユーザに対して、原稿読取部２０１が読み取った結果出力される原稿画像データに対する分割の方法を示す分割モードの入力を促す。ユーザによって「文字と写真に分割」が選択されると、パネル入力部２０２は、文字と写真の分割処理を施す文字／写真識別回路４０１へのチップセレクト信号である分割モード切替信号を出力する。
【０１０８】
（ロ）図１１に示すステップＳ４０１において、文字／写真識別回路４０１はチップセレクトを通して、パネル入力部２０２が出力した分割モード切替信号を入力し、文字／写真識別回路４０１が起動する。
【０１０９】
（ハ）ステップＳ４０７において、文字／写真識別回路４０１はフレームバッファ４０３に保存された原稿画像データを解析し、文字と写真に識別する。
【０１１０】
＜ハイブリッド印刷装置による文字単位の分割処理＞
次に、本発明の第３の実施の形態のハイブリッド印刷装置１００が、原稿読取部２０１によって読み取った原稿画像データを、図８に示す画像分割部２０３が備える文字認識回路４０２が行う分割の処理の特徴を図５及び図１２のフローチャートを参照して説明する。なお、原稿読取部２０１が読み取る印刷原稿の原稿画像は、図１３に示すように５０文字の文字のみで構成されるものとする。
【０１１１】
（イ）図５に示すステップＳ１０１において、図８に示すパネル入力部２０２はユーザに対して、原稿読取部２０１が読み取った結果出力される原稿画像データに対する分割の方法を示す分割モードの入力を促す。ユーザによって「文字単位に分割」が選択されると、パネル入力部２０２は、文字単位の分割処理を施す文字認識回路４０２へのチップセレクト信号である分割モード切替信号を出力する。
【０１１２】
（ロ）図１２に示すステップＳ３０１において、文字認識回路４０２はチップセレクトを通して、パネル入力部２０２が出力した分割モード切替信号を入力し、文字認識回路４０２が起動する。
【０１１３】
（ハ）ステップＳ３０７において、文字認識回路４０２はフレームバッファ４０３に保存された原稿画像データを解析し、文字単位で識別する。
【０１１４】
以上説明したように、本発明の第３の実施の形態に係るハイブリッド印刷装置によれば、画像分割部２０３が備える文字／写真識別回路４０１及び文字認識回路４０２は、原稿読取部２０１が印刷原稿の原稿画像を読み取った結果出力する原稿画像データを文字及び写真、あるいは文字単位にそれぞれ分割し、複数の出力先へ順次出力することが可能である。
【０１１５】
このようにして、第１及び第３の実施の形態と同様に、本発明の第３の実施の形態に係るハイブリッド印刷装置は、秘匿性及び機密性の高い機密文書である印刷原稿の原稿画像を読み取り、その結果電子化した原稿画像データを分割することで、第三者への機密文書が含む機密情報の漏洩を防ぐことが可能になる。
【０１１６】
（第４の実施の形態）
＜ハイブリッド印刷装置の構成＞
本発明の第４の実施の形態に係るハイブリッド印刷装置は、図１３に示すように、ユーザによって設定される印刷原稿に対する指定領域座標情報に基づいてエリア毎に原稿画像を分割し、それぞれ異なる出力先へ出力するエリアセレクタ回路６０１を備える。ここで、「指定領域座標情報」とは、図１０（ｅ）に示すように、印刷原稿の印刷領域内においてユーザによって指定される閉じた領域であり、図１３のパネル入力部２０２を通してユーザによって入力される。
【０１１７】
エリアセレクタ回路６０１は、原稿読取部２０１が読み取り後、出力した原稿画像データに対して、ユーザによって設定された印刷原稿に対する指定領域座標情報に基づいて、原稿画像データをエリア毎に分割し、複数の出力先にそれぞれ出力する。例えば、ユーザによって設定された指定領域が、第１のエリア、第２のエリア、第３のエリア及び第４のエリアのような４つのエリアであった場合、第１のエリア及び第３のエリアに掲載されている原稿画像データをエリアセレクタ回路６０１のＯＵＴ１端子及び第１のバッファ３０３におけるＯＥ端子を経由して第１のバッファ３０３に保存する。また、第２のエリア及び第４のエリアに掲載されている原稿画像データをエリアセレクタ回路６０１のＯＵＴ２端子及び第２のバッファ３０４におけるＯＥ端子を経由して第２のバッファ３０４に保存する。もちろん、第１のエリア及び第２のエリアに掲載されている原稿画像データを第１のバッファ３０３に、第３のエリア及び第４のエリアに掲載されている原稿画像データを第２のバッファ３０４に保存してもよい。
【０１１８】
第１のバッファ３０３に保存された原稿画像データにおけるエリア単位の原稿画像データは、孔版印刷を行うために、孔版印刷用に画像処理を施すサーマルヘッド画像処理部２０４を経て、図１に示すサーマルヘッド１２５に、図１３に示す画像分割部２０３によって送信される。また、図１３に示す第２のバッファ３０４に保存された原稿画像データにおけるエリア毎の原稿画像データは、インクジェット印刷を行うために、インクジェット印刷用に画像処理を施すインクジェットヘッド画像処理部２０６及び孔版印刷後の印刷用紙と印刷のタイミングを調整するために一時的に原稿画像データを保存する出力バッファ２０７を経て、図１に示すインクジェットヘッド１２０に、図１３に示す画像分割部２０３によって送信される。
【０１１９】
＜ハイブリッド印刷装置によるエリア単位の分割処理＞
次に、本発明の第４の実施の形態のハイブリッド印刷装置１００が、原稿読取部２０１によって読み取った原稿画像データを、図１３に示す画像分割部２０３が備えるエリアセレクタ回路６０１が、ユーザによって設定される印刷原稿に対する指定領域座標情報に基づいて行う分割の処理の特徴を図５及び図１５のフローチャートを参照して説明する。
【０１２０】
（イ）図５に示すステップＳ１０１において、図１３に示すパネル入力部２０２はユーザに対して、原稿読取部２０１が読み取った結果出力される原稿画像データに対する分割の方法を示す分割モードの入力を促す。ユーザによって「エリアを選択して分割」が選択されると、パネル入力部２０２は、エリア単位の分割処理を施すエリアセレクタ回路６０１へのチップセレクト信号である分割モード切替信号を出力する。
【０１２１】
（ロ）図１５に示すステップＳ５０１において、エリアセレクタ回路６０１はチップセレクトを通して、パネル入力部２０２が出力した分割モード切替信号を入力し、エリアセレクタ回路６０１が起動する。
【０１２２】
（ハ）ステップＳ５０４において、ユーザによってスタートボタンが押下されると、ステップＳ５０５において、原稿読取部２０１が印刷原稿の原稿画像を１ライン毎に読み取る。ステップＳ５０６において、原稿読取部２０１が読み取った１ライン分の原稿画像データを保存する。ここでは、ステップＳ５０２で設定した印刷エリア内に該当する原稿画像データは第１のバッファ３０３に、印刷エリア外に該当する原稿画像データを第２のバッファ３０４に保存する。
【０１２３】
（ニ）ステップ５０７において、印刷エリア内に該当する原稿画像データであれば、ステップＳ５０８において、第１のバッファ３０３からサーマルヘッド画像処理部２０４に出力する。印刷エリア外に該当する原稿画像データであれば、ステップＳ５０９において、第２のバッファ３０４からインクジェットヘッド画像処理部２０６に出力する。
【０１２４】
以上説明したように、本発明の第４の実施の形態に係るハイブリッド印刷装置によれば、画像分割部２０３が備えるエリアセレクタ回路６０１は、原稿読取部２０１が印刷原稿の原稿画像を読み取った結果出力する原稿画像データをユーザが設定した印刷エリア毎にそれぞれ分割し、複数の出力先へ順次出力することが可能である。
【０１２５】
このようにして、第１乃至第３の実施の形態と同様に、本発明の第４の実施の形態に係るハイブリッド印刷装置は、秘匿性及び機密性の高い機密文書である印刷原稿の原稿画像を読み取り、その結果電子化した原稿画像データを分割することで、第三者への機密文書が含む機密情報の漏洩を防ぐことが可能になる。
【０１２６】
（その他の実施の形態）
上記のように、本発明は本発明の実施の形態によって記載したが、この開示の一部をなす論述及び図面は本発明を限定するものであると理解すべきではない。この開示から当業者には様々な代替実施の形態、実施例及び運用技術が明らかとなろう。
【０１２７】
例えば、本発明の第１乃至４の実施の形態において、記憶部２０９は原稿画像データ及び追加印刷許可情報を記憶する。しかし、追加印刷許可情報のみ、異なる記憶媒体が記憶することも可能であり、記憶部２０９を画像分割部２０３が内蔵することも可能である。
【０１２８】
また、本発明の第１乃至４の実施の形態において、追加印刷制御部は、追加印刷許可情報が含むユーザＩＤ及びパスワードに基づいて、追加印刷を可能とする認証を行うが、成りすまし防止のために指紋認証等の生体認証を利用することも可能である。
【０１２９】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【０１３０】
【図１】本発明の第１〜４の実施の形態に係るハイブリッド印刷装置のブロック図である。
【図２】本発明の第１の実施の形態に係るハイブリッド印刷装置が備える画像分割部のブロック図である。
【図３】本発明の第１の実施の形態に係る画像分割部が備えるラインセレクタ回路による分割方法を示す模式図である。
【図４】本発明の第１の実施の形態に係る画像分割部が備えるドットセレクタ回路による分割方法を示す模式図である。
【図５】本発明の第１の実施の形態に係るラインセレクタ回路が実施する分割の処理を示すフローチャートである。
【図６】本発明の第１の実施の形態に係るドットセレクタ回路が実施する分割の処理を示すフローチャートである。
【図７】本発明の第２の実施の形態に係るハイブリッド印刷装置が備える画像分割部のブロック図である。
【図８】本発明の第３の実施の形態に係るハイブリッド印刷装置が備える画像分割部のブロック図である。
【図９】本発明の第３の実施の形態に係る画像分割部が備える文字／写真識別回路による分割方法を示す模式図である。
【図１０】本発明の第１〜４の実施の形態に係るパネル入力部の概略図及びパネル入力部がユーザに対して表示する一例を示す図である。
【図１１】本発明の第３の実施の形態に係る文字／写真識別回路が実施する分割の処理を示すフローチャートである。
【図１２】本発明の第３の実施の形態に係る文字認識回路が実施する分割の処理を示すフローチャートである。
【図１３】本発明の第３の実施の形態に係る画像分割部が備える文字認識回路による分割方法を示す模式図である。
【図１４】本発明の第４の実施の形態に係るハイブリッド印刷装置が備える画像分割部のブロック図である。
【図１５】本発明の第４の実施の形態に係るエリアセレクタ回路が実施する分割の処理を示すフローチャートである。
【図１６】本発明の第１〜４の実施の形態に係るハイブリッド印刷装置の概略図である。
【図１７】本発明の第１〜４の実施の形態に係る追加印刷の設定及び実行の際にパネル入力部がユーザに対して表示する一例を示す図である。
【図１８】本発明の第１〜４の実施の形態に係るハイブリッド印刷装置による追加印刷の処理を示すフローチャート図である。
【符号の説明】
【０１３１】
１００…ハイブリッド印刷装置
１０１…印刷用紙
１０２…給紙部
１０３…孔版印刷部
１０４…インクジェット印刷部
１０５…用紙搬送部
１０６…排紙台
１０７…排紙部
１０８…孔版印刷用ドラム
１０９…排版部
１１０…製版部
１１１…給紙台
１１２…１次給紙ロール
１１３…２次給紙ロール
１１４…押圧ロール
１１５…分離爪
１１６…搬送ロール
１１７…吸引ファン
１１８…ベルト搬送部
１１９…ガイドロール
１２０…インクジェットヘッド
１２１…排版搬送ロール
１２２…排版ボックス
１２３…原紙確認センサ
１２４…原紙収容部
１２５…サーマルヘッド
１２６…プラテンロール
１２７…原紙カッタ
１２８…画像分割基板
１２９…孔版原紙
２０１…原稿読取部
２０２…パネル入力部
２０３…画像分割部
２０４…サーマルヘッド画像処理部
２０６…インクジェットヘッド画像処理部
２０７…出力バッファ
２０８…追加印刷制御部
２０９…記憶部
３０１…ラインセレクタ回路
３０２…ドットセレクタ回路
３０３…第１のバッファ
３０４…第２のバッファ
４０１…文字／写真識別回路
４０２…文字認識回路
４０３…フレームバッファ
５０１…乱数発生回路
６０１…エリアセレクタ回路
１００１…表示部
１００２…テンキー
１００３…分割モードキー
１００４…追加印刷設定キー
１００５…追加印刷実行キー
【図１】
2010110956.tif 000003
【図２】
2010110956.tif 000004
【図３】
2010110956.tif 000005
【図４】
2010110956.tif 000006
【図５】
2010110956.tif 000007
【図６】
2010110956.tif 000008
【図７】
2010110956.tif 000009
【図８】
2010110956.tif 000010
【図９】
2010110956.tif 000011
【図１０】
2010110956.tif 000012
【図１１】
2010110956.tif 000013
【図１２】
2010110956.tif 000014
【図１３】
2010110956.tif 000015
【図１４】
2010110956.tif 000016
【図１５】
2010110956.tif 000017
【図１６】
2010110956.tif 000018
【図１７】
2010110956.tif 000019
【図１８】
2010110956.tif 000020